(57)【特許請求の範囲】
【請求項１】
一対の電極間に液晶を備える液晶パネルに対して前記一対の電極間に駆動信号を印加することにより前記液晶の光学的特性を変化させる液晶パネルの駆動方法において、
前記液晶パネルの温度または該液晶パネルが配置されている環境の温度を検出し、該温度の検出結果に基づいて、低温側では前記駆動信号として常温よりも低周波数の信号を用いるとともに、商用電源周波数の整数倍の周波数を避けるように、前記駆動信号の周波数が温度に対して不連続に変化する
ことを特徴とする液晶パネルの駆動方法。
【請求項２】
請求項１において、前記温度の検出結果に基づいて、高温側では前記駆動信号として常温よりも高周波数の信号を用いる
ことを特徴とする液晶パネルの駆動方法。
【請求項３】
請求項１又は２において、液晶パネルにマトリクス状に形成されている複数の画素を時分割駆動するときのフレーム周波数を、前記温度の検出結果に基づいて、少なくとも５０Ｈｚの整数倍に相当する周波数を避けるように変化させる
ことを特徴とする液晶パネルの駆動方法。
【請求項４】
請求項１又は２において、液晶パネルにマトリクス状に形成されている複数の画素を時分割駆動するときのフレーム周波数を、前記温度の検出結果に基づいて、少なくとも６０Ｈｚの整数倍に相当する周波数を避けるように変化させる
ことを特徴とする液晶パネルの駆動方法。
【請求項５】
請求項１乃至４のいずれかにおいて、前記液晶パネルの各画素の駆動周波数を、前記温度が−２０℃のときには１．２８ｋＨｚ以下、前記温度が＋２５℃のときには２．５６ｋＨ以下で駆動されるように設定する
ことを特徴とする液晶パネルの駆動方法。
【請求項６】
請求項５において、前記液晶パネルの各画素の駆動周波数を、前記温度が＋７０℃のときには４．１６ｋＨｚ以下で駆動されるように設定する
ことを特徴とする液晶パネルの駆動方法。
【請求項７】
請求項１乃至６のいずれかにおいて、前記フレーム周波数を、前記温度が−２０℃のときには４０Ｈｚ以下とし、前記温度が＋２５℃のときには７０Ｈｚから９０Ｈｚまでの間とし、前記温度が＋７０℃のときには１３０Ｈｚ以上に設定する
ことを特徴とする液晶パネルの駆動方法。
【請求項８】
一対の基板間に液晶を挟持してなる液晶パネルと、前記一対の基板間に駆動信号を印加して前記液晶の光学的特性を変化させる駆動回路とを有する液晶装置において、
当該液晶パネルの温度または該液晶パネルが配置されている環境の温度を検出する温度検出手段と、該温度検出手段による温度検出結果に基づいて、低温側では前記駆動信号を常温よりも低周波数の信号とするとともに、商用電源周波数の整数倍の周波数を避けるように、前記駆動信号の周波数を温度に対して不連続に変化させる温度補償手段とを有している
ことを特徴とする液晶装置。
【請求項９】
請求項８において、前記温度補償手段は、高温側では前記駆動信号を常温よりも高周波数の信号とする
ことを特徴とする液晶装置。
【請求項１０】
請求項８又は９において、前記温度補償手段は、液晶パネルにマトリクス状に形成されている複数の画素を時分割駆動するときのフレーム周波数を、前記温度検出結果に基づいて、少なくとも５０Ｈｚの整数倍に相当する周波数を避けるように変化させる
ことを特徴とする液晶装置。
【請求項１１】
請求項８又は９において、前記温度補償手段は、液晶パネルにマトリクス状に形成されている複数の画素を時分割駆動するときのフレーム周波数を、前記温度検出結果に基づいて、少なくとも６０Ｈｚの整数倍に相当する周波数を避けるように変化させる
ことを特徴とする液晶装置。
【請求項１２】
請求項８乃至１１のいずれかにおいて、前記温度補償手段は、前記フレーム周波数が特定周波数を避けて変化するときにはヒステリシスをもって当該フレーム周波数を変化させる
ことを特徴とする液晶装置。
【請求項１３】
請求項８乃至１２のいずれかにおいて、前記温度補償手段は、前記フレーム周波数を階段状に変化させることにより特定周波数を避けて当該フレーム周波数を温度検出結果に対応して変化させる
ことを特徴とする液晶装置。
【請求項１４】
請求項８乃至１３のいずれかにおいて、前記温度補償手段は、前記フレーム周波数が特定周波数を避けて変化する以外は温度検出結果に対応して連続的に変化させる
ことを特徴とする液晶装置。
【請求項１５】
請求項８乃至１４のいずれかにおいて、前記温度補償手段は、前記液晶パネルの各画素の駆動周波数を、前記温度が−２０℃のときには１．２８ｋＨｚ以下、前記温度が＋２５℃のときには２．５６ｋＨ以下に設定する
ことを特徴とする液晶装置。
【請求項１６】
請求項１５において、前記温度補償手段は、前記液晶パネルの各画素の駆動周波数を、前記温度が＋７０℃のときには４．１６ｋＨｚ以下に設定する
ことを特徴とする液晶装置。
【請求項１７】
請求項８乃至１６のいずれかにおいて、前記温度補償手段は、前記フレーム周波数を、前記温度が−２０℃のときには４０Ｈｚ以下とし、前記温度が＋２５℃のときには７０Ｈｚから９０Ｈｚまでの間とし、前記温度が＋７０℃のときには１３０Ｈｚ以上に設定する
ことを特徴とする液晶装置。
【請求項１８】
請求項８乃至１７のいずれかにおいて、前記温度補償手段は、前記温度検出結果に基づいて、前記駆動回路を制御する液晶駆動制御回路に供給される同期信号の周波数を変えることにより前記駆動信号の周波数を変化させる同期信号周波数可変手段である
ことを特徴とする液晶装置。
【請求項１９】
請求項８乃至１８のいずれかにおいて、前記温度検出手段は、前記駆動回路とともに同一の半導体装置内に形成されたサーミスタである
ことを特徴とする液晶装置。
【請求項２０】
請求項８乃至１９のいずれかに規定する液晶装置を表示装置として搭載した
ことを特徴とする電子機器。
【発明の詳細な説明】
【０００１】
【発明の属する技術分野】
本発明は、液晶パネルの駆動方法、液晶装置および電子機器に関するものである。さらに詳しくは、液晶パネルを駆動する際の温度補償技術に関するものである。
【０００２】
【従来の技術】
各種のマトリスクス型液晶表示装置に用いられる液晶装置のうち、たとえば単純マトリクス型の液晶装置には、図１８に示すように、液晶パネル１０と、この液晶パネル１０を駆動するための駆動回路（信号電極駆動回路２０および走査電極駆動回路３０）と、これらの駆動回路２０、３０に各種の直流電源を供給する液晶電源回路４０と、駆動回路２０、３０を制御して駆動回路２０、３０から所定の駆動信号を液晶パネル１０に出力させる液晶駆動制御回路５０とが構成されている。液晶駆動制御回路５０には、発振回路６０から所定周波数の基準クロック信号ＣＫ（同期信号）が出力され、液晶駆動制御回路５０は、この基準クロック信号ＣＫに対応する周波数の駆動信号を信号電極駆動回路２０および走査電極駆動回路３０から液晶パネル１０に出力させる。
【０００３】
液晶パネル１０では、図２および図３に模式的に示すように、上偏光板１１、位相差フィルム１２、内面側にストライプ状のＹ電極Ｙ１、Ｙ２、Ｙ３・・・が形成された上基板１３、液晶層１５、この液晶層１５を封止するためのシール剤１６、内面側にストライプ状のＸ電極Ｘ１、Ｘ２、Ｘ３・・・が形成された下基板１８、下偏光板１４、光拡散板１９がこの順に配置されている。また、Ｘ電極Ｘ１、Ｘ２、Ｘ３・・・およびＹ電極Ｙ１、Ｙ２、Ｙ３・・・は、互いに交差する方向に延びており、図４に示すように、これらの透明電極が交差する部分によって画素Ｐ１１、Ｐ１２、Ｐ１３・・・がマトリクス状に形成され、これらの画素Ｐ１１、Ｐ１２、Ｐ１３・・・のそれぞれに、上基板１３のＹ電極Ｙ１、Ｙ２、Ｙ３・・・、液晶層１５、および下基板１８のＸ電極Ｘ１、Ｘ２、Ｘ３・・・からなる液晶パネルが構成されている。
【０００４】
このような液晶パネル１０では、Ｘ電極Ｘ１、Ｘ２、Ｘ３・・・およびＹ電極Ｙ１、Ｙ２、Ｙ３・・・に印加される駆動信号によって各画素（各液晶パネル）において液晶の配向状態が制御される結果、各画素Ｐ１１、Ｐ１２、Ｐ１３・・・（液晶セル）の光学特性が変化するので、各画素Ｐ１１、Ｐ１２、Ｐ１３・・・における光学特性の差を利用して各種の画像を表示することができる。
【０００５】
図５（Ａ）、（Ｂ）を参照して、液晶パネル１０を駆動する駆動信号の一例を説明する。図５（Ａ）、（Ｂ）はそれぞれ、Ｙ電極Ｙ１、Ｙ２、Ｙ３・・・に印加する駆動信号（走査信号）の波形図、およびＸ電極Ｘ１、Ｘ２、Ｘ３・・・に印加する駆動信号（画像信号）の波形図である。なお、図５（Ａ）、（Ｂ）には２フレーム期間に相当する波形が表わされている。
【０００６】
図５（Ａ）において、最初のフレーム期間Ｈでは、走査信号の電圧Ｖ５が非選択電圧レベルであり、電圧Ｖ１が選択電圧レベルである。この選択期間において、Ｘ電極Ｘ１、Ｘ２、Ｘ３・・・に電圧Ｖ６が印加されると、液晶層１５にはＯＮ電圧が印加され、Ｘ電極Ｘ１、Ｘ２、Ｘ３・・・に電圧Ｖ４が印加されると、液晶層１５にはＯＦＦ電圧が印加される。このような電圧変化に応じて、液晶層１５が入射した光の偏光性を制御し、液晶パネル１０上に画像を表示するものである。このような電位Ｖ１、Ｖ２、Ｖ３・・・は、液晶電源回路４０によって生成される。
【０００７】
このように構成した液晶装置において、例えば図５に示す１フレーム期間Ｈが１６．６ｍＳｅｃで、３２本のＸ電極Ｘ１、Ｘ２、Ｘ３・・・を駆動するとすると、１選択期間は、１画素当たり５１８．８μＳｅｃとなる。この条件で画像信号がオン、オフを繰り返せば、液晶層１５に印加される信号の最大周波数は１．９２ｋＨｚとなる。
【０００８】
【発明が解決しようとする課題】
しかしながら、液晶装置では、周囲の温度が低下すると液晶パネル１０を透過する光が変化し、コントラストが低下するという問題点がある。このような問題点は、液晶の誘電率異方性Δεの周波数特性が温度によって大きく変化することに起因して、各画素Ｐ１１、Ｐ１２、Ｐ１３・・・を構成する液晶のしきい値電圧Ｖｔｈが急激に変化することに起因する。
【０００９】
また、液晶装置では、周囲の温度が上昇すると液晶分子の動きが速くなるため、従来の駆動信号の周波数では、次回の書き込みが行われるまでの間に液晶分子が応答してしまい、画像が劣化するという問題点もある。
【００１０】
そこで、本発明の課題は、駆動信号に温度補償を行なうことにより駆動条件の最適化を図ることのできる液晶パネルの駆動方法、液晶装置、およびこの液晶装置を用いた電子機器を提供することにある。
【００１１】
【課題を解決するための手段】
上記課題を解決するため、本発明者らは、液晶層の駆動条件を見直すため、液晶材料の検討を行った。
【００１２】
まず、液晶を駆動するためのしきい値電圧Ｖｔｈは以下の式（１）
（ｋ／Δε）１／２…（１）
で求められる値に比例する。しきい値電圧Ｖｔｈとは、液晶層に印加される電圧がこの電圧以上であれば光学的性質が変化しはじめる電圧のことであり、上式（１）において、Δεは誘電率異方性、ｋは液晶の弾性率に関連した値である。この式については、工業調査会出版の「液晶の基礎と応用」松本正一・角田市良共著Ｐ３６式（２．１５）により詳しく紹介されている。
【００１３】
式(１)にからすると、しきい値電圧Ｖｔｈは、誘電率異方性Δεに依存している。そこで、本発明者らは、誘電率異方性Δεの周波数特性が温度依存性を有していることに注目し、この周波数特性を利用して温度補償することを案出した。その概要を図８を参照して説明する。
【００１４】
図８は、各温度における液晶の誘電率異方性Δεの周波数特性を示すグラフである。ここで、実線Ｌ１〜実線Ｌ６はそれぞれ、温度が−２０℃、−１０℃、０℃、＋２５℃、＋５０℃、＋７０℃における周波数特性を表わしている。
【００１５】
図８には、温度−２０℃から＋７０℃までの周波数特性が示されているが、比較的高い温度（たとえば＋７０℃）では、誘電率異方性Δεが約１００ｋＨｚまで略フラットな周波数特性を示している。これに対して、温度が−２０℃では、１ｋＨｚ程で誘電率異方性Δεが急激に落ち始めることがわかる。すなわち、温度が低下すると、駆動信号の周波数帯域が誘電率異方性Δεの遷移領域（Δεが急激に変化する領域）にかかり、液晶のΔεが急激に低下する結果、しきい値電圧Ｖｔｈが急激に低下するのである。
【００１６】
ここに、本発明者らは、温度によって駆動信号の周波数を変化させることにより、液晶パネル１０のしきい値電圧Ｖｔｈを略一定に保持することを提案するものである。たとえば、図５（Ａ）、（Ｂ）に示す駆動信号において、１フレーム期間が１６．６ｍＳｅｃとし、例えば３２本のＸ電極を駆動するとすると、フレーム周波数が６０Ｈｚ、１選択期間は、５１８．８μＳｅｃとなる。この条件において、画像信号がオン、オフを繰り返せば、液晶層に印加される信号の周波数は最大の１．９２ｋＨｚとなる。これに対して、温度が下がったときに駆動信号の周波数を低下させ、たとえば１／２にすると、０．９６ｋＨｚとなり、−２０℃であっても、誘電率異方性Δεは略フラットである。このときのフレーム周波数は３０Ｈｚとなる。このように、温度によって駆動信号の周波数を変化させれば、誘電率異方性Δεが周波数によって変動することを抑えることができ、これにより、しきい値電圧Ｖｔｈの大きな変動を抑えることができる。
【００１７】
すなわち、本発明では、一対の電極間に液晶を備える液晶パネルに対して前記一対の基板間に印加した駆動信号によって前記液晶の光学的特性を変化させる液晶パネルの駆動方法において、前記液晶パネルの温度または該液晶パネルが配置されている環境の温度を検出するとともに、該温度の検出結果に基づいて、前記駆動信号として低温側では常温よりも低周波数の信号を用いることを特徴とする。
【００１８】
本発明において、常温とは＋１５℃〜＋２５℃のことを意味する。
【００１９】
従って、本発明では、周囲温度が低下しても誘電率異方性Δεが変動しない周波数の駆動信号で液晶パネルを駆動するので、コントラスト低下などが発生しない。
【００２０】
また、本発明において、前記温度の検出結果に基いて、前記駆動信号として高温側では常温よりも高周波数の信号を用いることが好ましい。周囲温度が上昇したときには誘電率異方性Δεの変動については配慮する必要はないが、その代わりに、液晶分子の動きに対応する周期で液晶パネルを駆動する必要があるので、本発明では、温度上昇したときには駆動信号の周波数を高め、液晶分子が反応する前に次の書き込むを行なうことにより、画像品位の低下を防止する。従って、温度上昇しても品位の高い画像を表示することができる。
【００２１】
本発明において、前記駆動信号の周波数は、温度に対して不連続に変化することが好ましい。たとえば、液晶パネルにマトリクス状に形成されている複数の前記液晶パネルを時分割駆動するときのフレーム周波数を、温度の検出結果に基づいて、少なくとも５０Ｈｚの整数倍に相当する周波数を避けるように変化させる。また、液晶パネルにマトリクス状に形成されている複数の画素を時分割駆動するときのフレーム周波数を、温度の検出結果に基づいて、少なくとも６０Ｈｚの整数倍に相当する周波数を避けるように変化させる。このように構成すると、フレーム周波数が商用電源の周波数と重ならないので、蛍光燈の下で表示した画像にちらつきが発生しない。
【００２２】
たとえば、前記フレーム周波数を、温度が−２０℃のときには４０Ｈｚ以下とし、＋２５℃のときには７０Ｈｚから９０Ｈｚまでの間とし、＋７０℃のときには１３０Ｈｚ以上に設定することが好ましい。
【００２３】
また、本発明において、前記液晶パネルの各画素の駆動周波数を、たとえば、前記温度が−２０℃のときには１．２８ｋＨｚ以下、前記温度が＋２５℃のときには２．５６ｋＨ以下で駆動されるように設定する。また、前記液晶パネルの各画素の駆動周波数を、たとえば、前記温度が＋７０℃のときには４．１６ｋＨｚ以下で駆動されるように設定する。
【００２４】
また、本発明では、一対の基板間に液晶を挟持してなる液晶パネルと、前記一対の基板間に駆動信号を印加して前記液晶の光学的特性を変化させる駆動回路とを有する液晶装置において、温度を検出する温度検出手段と、該温度検出手段による温度検出結果に基づいて、低温側では前記駆動回路から前記液晶パネルに供給される前記駆動信号を常温よりも低周波数の信号とする温度補償手段とを有していることを特徴とする。
【００２５】
本発明において、前記温度補償手段は、高温側では前記駆動回路から前記液晶パネルに供給される前記駆動信号を常温よりも高周波数の信号とすることが好ましい。
【００２６】
本発明において、前記温度補償手段は、前記駆動信号の周波数を温度に対して不連続に変化させることが好ましい。たとえば、前記温度補償手段は、液晶パネルにマトリクス状に形成されている複数の画素を時分割駆動するときのフレーム周波数を、前記温度検出手段による温度検出結果に基づいて、少なくとも５０Ｈｚの整数倍に相当する周波数を避けるように変化させる。また、前記温度補償手段は、液晶パネルにマトリクス状に形成されている複数の画素を時分割駆動するときのフレーム周波数を、前記温度検出手段による温度検出結果に基づいて、少なくとも６０Ｈｚの整数倍に相当する周波数を避けるように変化させる。
【００２７】
本発明において、前記温度補償手段は、前記フレーム周波数が特定周波数を避けて変化するときにはヒステリシスをもって当該フレーム周波数を変化させることが好ましい。このように構成すると、特定周波数でフレーム周波数が不連続に変化する場合でもハンチングを起こさない。
【００２８】
本発明において、前記温度補償手段は、たとえば、前記フレーム周波数を階段状に変化させることにより特定周波数を避けて当該フレーム周波数を温度検出結果に対応して変化させる。また、前記温度補償手段は、前記フレーム周波数が特定周波数を避けて変化する以外は温度検出結果に対応して連続的に変化させてもよい。
【００２９】
また、本発明において、前記温度補償手段は、前記液晶パネルの各画素の駆動周波数を、たとえば、前記温度が−２０℃のときには１．２８ｋＨｚ以下、前記温度が＋２５℃のときには２．５６ｋＨ以下とする。また、前記温度補償手段は、前記液晶パネルの各画素の駆動周波数を、たとえば、前記温度が＋７０℃のときには４．１６ｋＨｚ以下とする。
【００３０】
本発明において、前記温度補償手段は、たとえば、前記フレーム周波数を、温度が−２０℃のときには４０Ｈｚ以下とし、＋２５℃のときには７０Ｈｚから９０Ｈｚまでの間とし、＋７０℃のときには１３０Ｈｚ以上に設定することが好ましい。
【００３１】
本発明において、前記温度補償手段は、前記温度検出手段による温度検出結果に基づいて、前記駆動回路を制御する制御回路に供給される同期信号の周波数を変えることにより前記駆動信号の周波数を変化させる同期信号周波数可変手段である。
【００３２】
本発明において、前記温度検出手段は、前記駆動回路とともに同一の半導体装置内に形成されたサーミスタである。このようなサーミスタであればシリコン基板上に、その他の回路と同様に作り込むことができる。
【００３３】
このような液晶装置は、たとえば、＋２０℃以下の屋外でも使用する携帯電話などといった電子機器の表示装置として用いるのに適している。
【００３４】
【発明の実施の形態】
図面を参照して、本発明の実施の形態を説明する。
【００３５】
［実施の形態１］
（全体構成）
図１は、本発明の実施の形態１に係る液晶装置の概略構成を示すブロック図である。図２および図３はそれぞれ、この液晶装置に用いた液晶パネル１０の平面図および断面図である。図４は、この液晶パネル１０の等価回路図である。図５は、この液晶装置に用いた駆動信号の波形図である。
【００３６】
図１に示すように、本形態の単純マトリクス型の液晶装置１は、液晶パネル１０と、この液晶パネル１０を駆動するための駆動回路（信号電極駆動回路２０および走査電極駆動回路３０）と、これらの駆動回路２０、３０に各種の直流電源（図５に示す電位Ｖ１、Ｖ２、Ｖ３・・・）を供給する液晶電源回路４０と、駆動回路２０、３０を制御して駆動回路２０、３０から所定の駆動信号を液晶パネル１０に出力させる液晶駆動制御回路５０とが構成されている。ここで、液晶駆動制御回路５０には、発振回路６０から所定周波数の基準クロック信号ＣＫ（同期信号）が出力され、液晶駆動制御回路５０は、この基準クロック信号ＣＫに対応する周波数の駆動信号を信号電極駆動回路２０および走査電極駆動回路３０から出力させる。
【００３７】
本形態の液晶装置１では、詳しくは後述するが、液晶パネル１０の温度を直接、あるいは液晶パネル１０が配置された環境の温度を検出する温度検出器７０（温度検出手段）と、この温度検出器７０による温度検出結果に基づいて、低温側では駆動回路２０、３０から液晶パネル１０に供給される駆動信号を低周波数の信号とし、高温側では駆動回路２０、３０から液晶パネル１０に供給される駆動信号を高周波数の信号とする温度補償回路８０が構成されている。
【００３８】
（液晶パネルの構成）
このような液晶装置１に用いられる液晶パネル１０は、図２および図３に示すように、内面にＩＴＯなどの透明導電膜からなるストライプ状のＹ電極Ｙ１、Ｙ２、Ｙ３・・・が形成された上基板１３と内面にＩＴＯなどの透明導電膜からなるストライプ状のＸ電極Ｘ１、Ｘ２、Ｘ３・・・が形成された下基板１８の間に、例えばＳＴＮモードの液晶層１５を挟持し、一対の基板の一方の外側に、上偏光板１１、位相差フィルム１２を配置し、他方の外側に、下偏光板１４、光拡散板１９が配置される。さらに、一対の基板１３、１８はシール剤によって貼り合され、この間隙に液晶層１５が封止される。Ｘ電極ここで、上基板１３および下基板１８はいずれも、ガラスなどの透明基板からなる。また、Ｘ電極Ｘ１、Ｘ２、Ｘ３・・・およびＹ電極Ｙ１、Ｙ２、Ｙ３・・・は、互いに交差する方向に延びている。なお、Ｘ電極とＹ電極の一方が走査電圧の印加される走査電極、他方が画像信号の印加される信号電極となる。
【００３９】
なお、液晶パネル１０が反射型の場合は最下側に反射板が配置されたり、下偏光板１４、光拡散板１９を除いて下基板１８の内面のＸ電極を反射電極とすることができる。また液晶パネル１０を透過型で用いる場合には、拡散板１９の下に照明装置が配置される。
【００４０】
このため、図４に示すように、液晶パネル１０には、これらの透明電極Ｘ１、Ｘ２、Ｘ３・・・、Ｙ１、Ｙ２、Ｙ３・・・が交差する部分によって画素Ｐ１１、Ｐ１２、Ｐ１３・・・がマトリクス状に形成され、これらの画素Ｐ１１、Ｐ１２、Ｐ１３・・・では、上基板１３のＹ電極Ｙ１、Ｙ２、Ｙ３・・・、液晶層１５、および下基板１８のＸ電極Ｘ１、Ｘ２、Ｘ３・・・からなる液晶パネルが構成されている。
【００４１】
このような液晶パネル１０において、Ｘ電極Ｘ１、Ｘ２、Ｘ３・・・およびＹ電極Ｙ１、Ｙ２、Ｙ３・・・に印加される駆動信号によって各画素Ｐ１１、Ｐ１２、Ｐ１３・・・（各液晶セル）では、液晶の配向状態が制御される結果、各画素Ｐ１１、Ｐ１２、Ｐ１３・・・の光学特性が変化するので、各画素１１、Ｐ１２、Ｐ１３・・・における光学特性の差を利用して各種の画像を表示することができる。
【００４２】
図５（Ａ）、（Ｂ）を参照して、液晶パネル１０を駆動する駆動信号の一例を説明する。図５（Ａ）、（Ｂ）はそれぞれ、Ｙ電極Ｙ１、Ｙ２、Ｙ３・・・に印加する駆動信号（走査信号）の波形図、およびＸ電極Ｘ１、Ｘ２、Ｘ３・・・に印加する駆動信号（画像信号）の波形図である。なお、図５（Ａ）、（Ｂ）には２フレーム期間に相当する波形が表わされている。本波形図においては、Ｙ電極Ｙ１、Ｙ２、Ｙ３・・・は、選択期間毎に順次選択される。
【００４３】
図５（Ａ）において、最初のフレーム期間においては、走査信号の電圧Ｖ５が非選択電圧レベルであり、電圧Ｖ１が選択電圧レベルである。この選択期間において、Ｘ電極Ｘ１、Ｘ２、Ｘ３・・・に電圧Ｖ６が印加されると、液晶層１５にはＯＮ電圧が印加され、Ｘ電極Ｘ１、Ｘ２、Ｘ３・・・に電圧Ｖ４が印加されると、液晶層１５にはＯＦＦ電圧が印加される。このような電圧変化に応じて、液晶層１５が入射した光の偏光性を制御し、液晶パネル１０上に画像を表示するものである。ここで、各電位Ｖ１〜Ｖ６はいずれも、図１に示す液晶電源回路４０で生成される。
【００４４】
次のフレームでは、液晶層への印加電圧の極性が反転されるために、走査信号の選択電圧レベルがＶ６、非選択レベルがＶ２となるので、画像信号がＶ１のとき液晶層１５にＯＮ電圧が印加され、Ｖ３のときＯＦＦ電圧が印加される。
（温度補償のための構成）
図６は、本形態の液晶装置に構成した発振回路および温度補償回路の構成を示す等価回路図である。図７は、この温度補償回路によって設定されたフレーム周波数と温度との関係を示すグラフである。図８は、各温度における液晶の誘電率異方性Δεの周波数特性を示すグラフである。図９は、各温度における液晶の応答速度を示すグラフである。図１０（Ａ）、（Ｂ）はそれぞれ、本形態の液晶装置における低温側および高温側での液晶分子の動きと書き込み周期との関係を示す説明図である。なお、図１０（Ａ）、（Ｂ）に駆動信号として示してあるのは、走査信号と画像信号とを合成した信号であり、非選択期間中、電圧変動がないものとして示してある。
【００４５】
このように構成した液晶装置１において、本形態では、図１に示すように、液晶駆動制御回路５０に基準クロック信号ＣＫを出力する発振回路６０には、温度検出器７０の温度検出結果に基づいて、発振回路６０から出力される基準クロック信号ＣＫの周波数を変化させて駆動回路２０、３０から出力される駆動信号のフレーム周波数を、温度が低いときには低周波数側に変化させ、温度が高いときには高周波数側に変化させる温度補償回路８０が構成されている。
【００４６】
ここで、温度センサ７０としてはバルク半導体の抵抗が温度によって変化することを利用したサーミスタが用いられ、本形態では、このサーミスタは、駆動回路２０、３０とともに、あるいは駆動回路２０、３０および液晶駆動制御回路５０などとともに同一の半導体チップ上に形成されている。
【００４７】
また、温度補償回路８０として、本形態では、図６に示す回路が用いられ、この温度補償回路８０および発振回路６０は、駆動回路２０、３０などとともに同一の半導体チップ上に形成されている。
【００４８】
図６において、基準クロックを発生させる発振回路６０を３段のインバータ回路で表わすと、本形態の温度補償回路８０では、第１段目のインバータ６０１の入力には、キャパシタ６０５の一方の端子と温度検出器７０として用いたサーミスタ６０６の一方の端子とが接続されている。このキャパシタ６０５の他方の端子は、第２段目のインバータ６０２の出力、第３段目のインバータ６０３の入力に接続され、サーミスタ６０６の他方の端子は、第３段目のインバータ６０３の出力および第３段目のインバータ６０４の入力に接続されている。
【００４９】
このようなインバータ３段の発振回路６０では、発振周波数ｆは以下の式（２）
発振周波数  ｆ  ≒  （２．２／ＣＲ）  …（２）
によって決定される。
【００５０】
ここで、Ｃは、キャパシタ６０５の容量値であり、Ｒはサーミスタ（温度検出器７０）の抵抗値である。サーミスタとして、（株）村田製作所の商品名「ＮＴＨ５Ｄシリーズ」を用いたところ、このサーミスタは、温度上昇とともに抵抗値が下がる。その結果、式（２）により、基準クロック信号ＣＫの周波数が上昇する。これに対して、サーミスタは、温度低下とともに抵抗値が上がる。その結果、式（２）により、基準クロック信号ＣＫの周波数が低下する。それ故、各駆動回路２０、３０から出力される駆動信号の周波数は、図７に示すように温度とともに変化する。たとえば、温度補償回路８０は、フレーム周波数を、温度が−２０℃のときには４０Ｈｚ以下とし、温度が＋２５℃のときには７０Ｈｚから９０Ｈｚまでの間とし、温度が＋７０℃のときには１３０Ｈｚ以上とする。
【００５１】
従って、図８に示す液晶の誘電率異方性Δεの周波数特性に基いて、温度によって駆動信号の周波数を変化させることにより、誘電率異方性Δεのレベルを安定化させ、液晶パネルのしきい値電圧Ｖｔｈを略一定にすることができる。たとえば、例えば３２本のＸ電極を駆動するとすると、温度が−２０℃のときにはフレーム周波数が４０Ｈｚ以下であるので、画像信号がＯＮ電圧、ＯＦＦ電圧を１水平走査期間（１Ｈ）毎に繰り返すことによって１Ｈ毎に画素への印加電圧が変化した場合に、３２本×４０Ｈｚ＝１．２８ｋＨｚの周波数で、各画素の液晶が駆動されることになる。しかし、実際の表示においては、隣接画素同士でＯＮ電圧又はＯＦＦ電圧を連続的に印加する場合も出てくるため、１Ｈ毎に画像信号が電圧変化せずに、実際には、各画素の液晶は、１．２８ｋＨｚ以下の条件（図８中、Ａで示す条件より低周波数側）で電圧変化する駆動信号によって駆動されることになる。このような周波数帯域は、液晶の屈折率異方性Δεは周波数の変化に対して略フラットな領域である。また、温度が＋２０℃のときにはフレーム周波数がたとえば８０Ｈｚであるので、各画素の液晶は、先程と同様に考えて２．５６ｋＨｚ（＝３２本×８０Ｈｚ）以下の条件（図８中、Ｂで示す条件）で電圧変化する駆動信号によって駆動されることになり、このような周波数帯域では、液晶の屈折率異方性Δεは周波数の変化に対して略フラットな領域である。さらに、温度が＋７０℃以上のときにはフレーム周波数がたとえば１３０Ｈｚ以上であるので、各画素の液晶は、先程と同様に考えて４．１６ｋＨｚ（＝３２本×１３０Ｈｚ）以下の条件（図８中、Ｃで示す条件より高周波側）で電圧変化する駆動信号によって駆動されることになり、このような周波数帯域では、液晶の屈折率異方性Δεは周波数の変化に対して略フラットな領域である。よって、いずれの温度条件下でも、液晶の誘電率異方性Δεが周波数に対して略フラットな領域で駆動するので、しきい値電圧Ｖｔｈが大きく変動しない。以上の説明では、Ｘ電極３２本を前提としたが、Ｘ電極を３２本以下とした液晶パネルについても、上記の条件は成立する。
【００５２】
また、本発明者は、駆動信号の周波数を低くしたことによるフリッカの発生などの問題に付いても検討を行い、図９に示す結果を得た。
【００５３】
図９は、液晶の温度による応答速度を示したグラフである。
【００５４】
図９に示すように、温度が低下するほど液晶の応答速度は低下していく。たとえば、−２０℃では、１０００ｍｓｅｃつまり１秒ほども応答にかかってしまう。これは、温度低下によって液晶の粘性の高まるためである。従って、本形態では、低温側において液晶の周波数特性にあわせて駆動信号の周波数を低くしても、図１０（Ａ）に示すように、液晶分子の動きが遅いので、次の書き込み周期がくるまで液晶分子の配向が保持された状態にある。よって、フリッカなどが発生しない。
【００５５】
また、図１０（Ｂ）に示すように、高温側では液晶分子の動きが速くなるが、本形態では、高温側ではフレーム周波数を高くする。このため、液晶分子の動きが速くなっても次の書き込みを行なうタイミングも速いので、フリッカなどが発生しないとともに、輝度変化が少ない。
【００５６】
以上説明したように、本形態では、温度検出器７０による温度検出結果に基づいて、低温側ではフレーム周波数を低周波数側に変化させるので、液晶の周波数特性として誘電率異方性Δεが略フラットな領域で液晶を駆動することができる。従って、携帯電話などのように広い温度範囲で使用される場合でも、温度補償を行なうことによって、しきい値電圧Ｖｔｈを略一定にすることができるので、品位の高い画像を表示することができる。また、温度が低いときには液晶分子の動きが鈍いので、フレーム周波数を低周波数側に設定しても、表示の品位が低下することはない。
【００５７】
また、温度が高いと液晶の動きが活発になるので、液晶分子の配向を保持できないが、本形態では、温度が高いときにはフレーム周波数を高周波数側に設定する。このため、温度が高い条件下であってもフリッカや輝度変化が発生しないので、品位の高い表示を行なうことができる。
【００５８】
また、温度検出器７０としてのサーミスタについては外付けすることも可能であるが、本形態では、サーミスタはバルク半導体（シリコン基板）の抵抗変化を利用している。さらに、キャパシタもシリコン基板上に作る。従って、本形態によれば、駆動回路２０、３０や液晶駆動制御回路５０などを内蔵した半導体装置の同一のシリコン基板上に、発振回路６０、温度検出器７０および温度補償回路８０も形成できるので、これらの回路などを１チップ化することができる。
【００５９】
［実施の形態２］
図１１は、本形態の液晶装置の構成のうち、液晶駆動制御回路５０に基準クロック信号を出力する温度補償付き発振器の構成を示すブロック図である。なお、本形態および後述する各形態において、液晶装置１および液晶パネル１０として基本的な構成は、実施の形態１において図１〜図５を参照して説明した内容と同一であるので、対応する部分には同一の符号を付してそれらの説明を省略する。また、この液晶装置に用いた液晶の特性も、図８〜図１０を参照して説明したとおりであるため、それらの説明も省略する。
【００６０】
本形態では、図１１に示すように、温度検出器７０による検出結果に基づいて、駆動信号として低温側では前記低周波数の信号を用い、高温側では高周波数の信号を用いることを目的に、２つの比較回路（第１の比較回路８１および第２の比較回路８２）を用いた温度補償回路８０が形成されている。また、発振器６０としては、温度補償回路８０からの出力結果に対応する基準クロック信号ＣＫを出力するマルチ周波数発振器が用いられている。
【００６１】
本形態において、温度補償回路８０は、以下の組合わせ
条件Ａ：第１の比較回路８１がオフ、かつ、第２の比較回路８２がオフ
条件Ｂ：第１の比較回路８１がオン、かつ、第２の比較回路８２がオフ
条件Ｃ：第１の比較回路８１がオン、かつ、第２の比較回路８２がオン
に対応する信号を出力してマルチ周波数発振器（発振器６０）を制御する。たとえば、第１の比較回路８１は、約−１０℃においてオン・オフが切り換わり、第２の比較回路は、約＋５０℃においてオン・オフが切り換わるように構成する。
【００６２】
また、第１の比較回路８１および第２の比較回路８２のいずれにおいてもヒステリシス特性をもたせる。このようなヒステリシス特性は、第１の比較回路８１および第２の比較回路８２に用いたオペアンプに正帰還をかけるなど周知の構成を採用することによって容易に実現できる。
【００６３】
このように構成した液晶装置１において、温度検出器７０による温度検出結果が、２つの比較回路８１、８２を備える温度補償回路８０に入力されると、この温度補償回路８０は、前記の条件Ａ、Ｂ、Ｃのいずれかの条件に相当する信号をマルチ周波数発振器（発振器６０）に出力する。その結果、マルチ周波数発信器は、条件Ａのときにはフレーム周波数が４０Ｈｚ以下となるような基準クロック信号ＣＫを出力し、マルチ周波数発信器は、条件Ｂのときにはフレーム周波数が８０Ｈｚ以下となるような基準クロック信号ＣＫを出力し、マルチ周波数発信器は、条件Ｃのときにはフレーム周波数が１３０Ｈｚ以上となるような基準クロック信号ＣＫを出力する。
【００６４】
その結果、本形態の液晶装置１では、フレーム周波数と温度との関係において、図１２に示すように、低温側から高温側にいくに従って、フレーム周波数が階段状に高くなる関係をもつことになる。また、フレーム周波数は階段状に変化するため、商用周波数である５０Ｈｚ（または６０Ｈｚ）、およびその整数倍に相当する１００Ｈｚ（または１２０Ｈｚ）を避けて変化していく。
【００６５】
このように、本形態では、温度検出器７０による温度検出結果に基づいてフレーム周波数を階段状に変化させるので、いずれの温度においても、液晶の周波数特性として誘電率異方性Δεが略フラットな領域で液晶を駆動することができる。従って、使用温度範囲内で温度が低下しても、しきい値電圧Ｖｔｈが略一定である。また、温度上昇しても液晶分子の動きに対応したタイミングで液晶パネルを駆動する。それ故、品位の高い表示を行なうことができる。
【００６６】
また、第１の比較回路８１および第２の比較回路８２にヒステリシス特性を付与したので、図１２からわかるように、フレーム周波数は、周波数が切り換わる−１０℃および＋５０℃付近でもスムーズに周波数が切り換わり、ハンチング等の現象が発生しない。
【００６７】
また、フレーム周波数が低周波数から高周波数まで変化するといっても、５０Ｈｚおよび６０Ｈｚ付近の周波数、およびその整数倍に相当する周波数を避ける設定になっている。このため、フレーム周波数が商用電源の周波数（５０Ｈｚまたは６０Ｈｚ）と重ならないので、蛍光燈の下であっても画像にちらつきなどが発生しない。
【００６８】
なお、フレーム周波数の切り換えは、実施の形態１と同様の条件を満たすことが好ましい。すなわち、温度が−２０℃のときにはフレーム周波数が４０Ｈｚ以下であるので、３２本以下のＸ電極である場合には、各画素の液晶は周波数が１．２８ｋＨｚ以下の条件で駆動され、温度が＋２０℃のときにはフレーム周波数がたとえば８０Ｈｚであるので、２．５６ｋＨｚ以下の条件で駆動され、温度が＋７０℃以上のときにはフレーム周波数がたとえば１３０Ｈｚ以上であるので、４．１６ｋＨｚ以下の条件で駆動されることになり、液晶の屈折率異方性Δεは周波数の変化に対して略フラットな領域を用いることができるので、いずれの温度条件下でも、液晶の誘電率異方性Δεが周波数に対して略フラットな領域で駆動するので、しきい値電圧Ｖｔｈが大きく変動せずに、好ましい。
【００６９】
［実施の形態３］
図１３は、本形態の液晶装置の構成のうち、液晶駆動制御回路５０に基準クロック信号を出力する温度補償付き発振器の構成を示すブロック図である。
【００７０】
本形態では、図１３に示すように、温度検出器７０による検出結果に基づいて、駆動信号として低温側では低周波数の信号を用い、高温側では高周波数の信号を用いることを目的に、演算回路８３を用いた温度補償回路８０が形成されている。また、本形態では、発振器６０として電圧制御発振器が用いられている。
【００７１】
この温度補償回路８０は、所定の演算処理を行なう演算回路８３を備えているため、たとえば、図１４に示すような条件で液晶を駆動するように、電圧制御発振器（発振器６０）から基準クロック信号ＣＫを液晶駆動制御回路５０に出力する。
【００７２】
すなわち、演算回路８３は、温度検出器７０の検出結果に基づいて所定の演算を行い、この演算結果に対応する電圧を電圧制御発振器（発振器６０）に出力すると、この電圧制御発振器（発振器６０）は、この電圧に対応する周波数の基準クロック信号ＣＫを液晶駆動制御回路５０に出力する。その結果、駆動回路２０、３０から出力される駆動信号において、フレーム周波数は、低温側から高温側に温度変化していくに伴なって低周波数から高周波数に連続的に上昇していく。本形態において、フレーム周波数は、温度が−２０℃のときには４０Ｈｚ以下、＋２５℃のときには７０Ｈｚから９０Ｈｚまでの間、＋７０℃のときには１３０Ｈｚ以上となる条件で切り換わることになる。従って、Ｘ電極が３２本以下であれば、温度が−２０℃のときには、各画素の液晶は周波数が１．２８ｋＨｚ以下の条件で駆動され、温度が＋２０℃のときには２．５６ｋＨｚ以下の条件で駆動され、温度が＋７０℃以上のときには４．１６ｋＨｚ以下の条件で駆動されることになるり、液晶の屈折率異方性Δεは周波数の変化に対して略フラットな領域を用いることができる。また、フレーム周波数が５０Ｈｚ（または６０Ｈｚ）となる温度では、急激に変化するので、フレーム周波数が５０Ｈｚ（または６０Ｈｚ）になることはない。さらに、このような急激を変化を起こす際にその変化がヒステリシスをもつように演算回路８３が構成されている。
【００７３】
このように、本形態では、温度検出器７０による温度検出結果に基づいてフレーム周波数を特定周波数を除いて連続的に変化させるので、いずれの温度においても、液晶の周波数特性として誘電率異方性Δεが略フラットな領域で液晶を駆動することができる。従って、使用温度範囲内で温度が低下しても、しきい値電圧Ｖｔｈが略一定である。また、温度上昇しても液晶分子の動きに対応したタイミングで液晶パネルを駆動する。それ故、品位の高い表示を行なうことができる。
【００７４】
また、演算回路８３が行なう演算結果にヒステリシスが現われるように構成したので、フレーム周波数には、周波数が切り換わる際にハンチング等の現象が発生しない。
【００７５】
また、フレーム周波数が低周波数から高周波数まで変化するといっても、５０Ｈｚおよび６０Ｈｚ付近の周波数を避ける設定になっている。このため、フレーム周波数が商用電源の周波数（５０Ｈｚまたは６０Ｈｚ）と重ならないので、画像にちらつきなどが発生しない。
【００７６】
［実施の形態４］
図１５は、本形態の液晶装置の構成のうち、液晶駆動制御回路５０に基準クロック信号を出力する温度補償付き発振器の構成を示すブロック図である。
【００７７】
本形態では、図１５に示すように、温度検出器７０による検出結果に基づいて、駆動信号として低温側では前記低周波数の信号を用い、高温側では高周波数の信号を用いることを目的に、Ａ／Ｄコンバータ８４、制御回路８５、記憶回路８６およびＤ／Ａコンバータ８７を用いた温度補償回路８０が形成されている。また、発振器６０として電圧制御発振器が用いられている。
【００７８】
この温度補償回路８０では、予め設定されたフレーム周波数と温度との関係が記憶回路８６に格納されている。すなわち、記録回路８６には、温度変化に対応する所定のフレーム周波数を実現するのに必要な基準クロック信号ＣＫを生成するためのデータが格納されている。たとえば、フレーム周波数を、温度が−２０℃のときには４０Ｈｚ以下、＋２５℃のときには７０Ｈｚから９０Ｈｚまでの間、＋７０℃のときには１３０Ｈｚ以上となるように切り換えるためのデータが記憶回路８６に格納されている。
【００７９】
このように構成した液晶装置１において、温度検出器７０による温度検出結果がＡ／Ｄコンバータ８４を介して制御回路８５に入力されると、制御回路８５はこの温度に対応するデータを記憶回路８６から読み出し、Ｄ／Ａコンバータ８７６介して電圧制御発振器（発振器６０）に出力する。その結果、電圧制御発振器（発振器６０）は、温度に対応する基準クロック信号ＣＫを液晶駆動制御回路５０に出力するので、液晶パネル１０は、温度に対応したフレーム周波数で駆動されることになる。
【００８０】
すなわち、図１６に示すように、駆動回路２０、３０から出力される駆動信号において、フレーム周波数は、低温側から高温側に温度変化していくに伴なって低周波数から高周波数に連続的に上昇していく。本形態において、フレーム周波数は、温度が−２０℃のときには４０Ｈｚ以下、＋２５℃のときには７０Ｈｚから９０Ｈｚまでの間、＋７０℃のときには１３０Ｈｚ以上となる条件で切り換わることになる。従って、Ｘ電極が３２本以下であれば、温度が−２０℃のときには各画素の液晶は駆動周波数が１．２８ｋＨｚ以下の条件で駆動され、温度が＋２０℃のときには２．５６ｋＨｚ以下の条件で駆動され、温度が＋７０℃以上のときには４．１６ｋＨｚ以下の条件で駆動されることになり、液晶の屈折率異方性Δεは周波数の変化に対して略フラットな領域を用いることができる。また、フレーム周波数が５０Ｈｚ（または６０Ｈｚ）となる温度、およびその２倍に相当する１００Ｈｚ（または１２０Ｈｚ）では急激に切り換わり、フレーム周波数が５０Ｈｚ（または６０Ｈｚ）、およびその整数倍に相当する１００Ｈｚ（または１２０Ｈｚ）になることはない。さらに、このような急激を変化を起こす際にその変化がヒステリシスをもつようなデータが記憶回路８６に格納されている。
【００８１】
このように、本形態では、温度検出器７０による温度検出結果に基づいてフレーム周波数を特定周波数を除いて連続的に変化させるので、いずれの温度においても、液晶の周波数特性として誘電率異方性Δεが略フラットな領域で液晶を駆動することができる。従って、使用温度範囲内で温度が低下しても、しきい値電圧Ｖｔｈが略一定である。また、温度上昇しても液晶分子の動きに対応したタイミングで液晶パネルを駆動する。それ故、品位の高い表示を行なうことができる。
【００８２】
また、演算回路８３が行なう演算結果にヒステリシスが現われるように構成したので、フレーム周波数には、周波数が切り換わる際にハンチング等の現象が発生しない。
【００８３】
また、フレーム周波数が低周波数から高周波数まで変化するといっても、５０Ｈｚおよび６０Ｈｚ付近の周波数を避ける設定になっている。このため、フレーム周波数が商用電源の周波数（５０Ｈｚまたは６０Ｈｚ）と重ならないので、画像にちらつきなどが発生しない。
【００８４】
［その他の実施の形態］
なお、上記の実施の形態では、ＳＴＮパネルにおいて説明したが、これに限定されるべきものではなく、ＴＮなど様々な液晶モードへ応用可能である。
【００８５】
また、上記形態では、単純マトリクスタイプの液晶装置１に本発明を適用した例を説明したが、これに限らず、ＴＦＴあるいはＴＦＤなどをスイッチング素子として用いて画素毎に配置したアクティブマトリクス型の液晶装置に本発明を適用してもよい。
【００８６】
さらに、上記形態の説明にあたっては発明の特徴を説明しやすいように、駆動波形として、図５に示すように、マルチプレクス駆動を用いて説明したが、これに限定されるものではなく、直交関数に基づいて所定数のＸ電極Ｘ１、Ｘ２、Ｘ３・・・を同時に選択し、所定数のＸ電極毎に順次選択していくようなマルチライン駆動（ＭＬＳやＭＬＡ）を採用した液晶装置に本発明を適用できる。
【００８７】
また、各画素の液晶を駆動する駆動信号の周波数（極性反転の周波数）は、図８に示す各温度における液晶の誘電率異方性の周波数特性において、液晶の屈折率異方性Δεが周波数の変化に対して略フラットな領域を用いるように、温度が−２０℃のときに１．２８ｋＨｚ以下の条件、温度が＋２０℃のときに２．５６ｋＨｚ以下の条件、温度が＋７０℃以上のときに４．１６ｋＨｚ以下の条件となるように駆動信号の周波数（電圧極性の反転周波数）を設定するのであれば、Ｘ電極の本数やフレーム周波数は上記実施形態に限定されるものではない。
【００８８】
［電子機器の具体例］
図１７（Ａ）、（Ｂ）、（Ｃ）はそれぞれ、本発明を適用した液晶装置１を用いた電子機器の外観図である。
【００８９】
まず、図１７（Ａ）は携帯電話の外観図である。この図において、１０００は携帯電話本体を示し、１００１は、本発明を適用した液晶装置１を用いた画像表示装置である。
【００９０】
図１７（Ｂ）は、腕時計型電子機器の外観図である。この図において、１１００は時計本体を示し、１１０１は、本発明を適用した液晶装置１を用いた画像表示装置である。
【００９１】
図１７（Ｃ）は、ワードプロセッサ、パーソナルコンピュータなどの携帯型情報処理装置の外観図である。この図において、１２００は情報処理装置を示し、１２０２はキーボードなどの入力部、１２０６は本発明を適用した液晶装置１を用いた画像表示装置であり、１２０４は情報処理装置本体を示す。
【００９２】
これらいずれの電子機器も、本発明を適用した液晶装置１を表示装置として搭載しているので、使用環境温度が−２５℃位の低温から＋７０℃位の高温まで鮮明な表示を行なうことができる。
【００９３】
【発明の効果】
以上説明したように、本発明では、液晶の誘電率異方性の周波数特性が温度によって変化するのを吸収するように、駆動信号として、低温のときには低周波数の信号を用いるので、誘電率異方性Δεが周波数に対して略フラットである。従って、液晶パネルを駆動するときのしきい値電圧が使用温度範囲内で大きく変動しないので、品位の高い表示を行なうことができる。
【図面の簡単な説明】
【図１】本発明の実施の形態１に係る液晶装置の概略構成を示すブロック図である。
【図２】図１に示す液晶装置に用いた液晶パネルの平面図である。
【図３】図２に示す液晶パネルの断面図である。
【図４】図２に示す液晶パネルの等価回路図である。
【図５】（Ａ）、（Ｂ）はそれぞれ、図４に示す液晶パネルを駆動するための２つの駆動信号（画像信号および走査信号）の波形図である。
【図６】本発明の実施の形態１に係る液晶装置において、駆動回路から出力される駆動信号に温度補償を行なうための回路構成を示す等価回路図である。
【図７】本発明の実施の形態１に係る液晶装置におけるフレーム周波数と温度との関係を示すグラフである。
【図８】各温度における液晶の誘電率異方性の周波数特性を示すグラフである。
【図９】各温度における液晶の応答速度を示すグラフである。
【図１０】（Ａ）、（Ｂ）はそれぞれ、低温および高温で液晶を駆動したときの液晶パネルからの放電と画像データを書き込むタイミングを示す説明図である。
【図１１】本発明の実施の形態２に係る液晶装置において、駆動回路から出力される駆動信号に温度補償を行なうための回路構成を示す等価回路図である。
【図１２】本発明の実施の形態２に係る液晶装置におけるフレーム周波数と温度との関係を示すグラフである。
【図１３】本発明の実施の形態３に係る液晶装置において、駆動回路から出力される駆動信号に温度補償を行なうための回路構成を示す等価回路図である。
【図１４】本発明の実施の形態３に係る液晶装置におけるフレーム周波数と温度との関係を示すグラフである。
【図１５】本発明の実施の形態４に係る液晶装置において、駆動回路から出力される駆動信号に温度補償を行なうための回路構成を示す等価回路図である。
【図１６】本発明の実施の形態４に係る液晶装置におけるフレーム周波数と温度との関係を示すグラフである。
【図１７】（Ａ）、（Ｂ）、（Ｃ）はいずれも本発明を適用した液晶装置を搭載した電子機器の説明図である。
【図１８】従来の液晶装置の概略構成を示すブロック図である。
【符号の説明】
１  液晶装置
１０  液晶パネル
１１  上偏光板
１２  位相差フィルム
１３  上基板
１４  下偏光板
１５  液晶層
１６  シール剤
１８  下基板
２０  信号電極駆動回路
３０  走査電極駆動回路
４０  液晶電源回路
５０  液晶駆動制御回路
６０  発振回路
７０  温度検出器（温度検出手段）
８０  温度補償回路（温度補償手段／基準信号周波数可変手段）
８１  第１の比較回路
８２  第２の比較回路
８３  演算回路
８４  Ａ／Ｄコンバータ
８５  制御回路
８６  記憶回路
８７  Ｄ／Ａコンバータ
６０１〜６０４  インバータ
キャパシタ
サーミスタ
ＣＫ  基準クロック信号（同期信号）
Ｘ１、Ｘ２、Ｘ３・・Ｘ電極
Ｙ１、Ｙ２、Ｙ３・・Ｙ電極
【図１】
0003840856.tif 000002
【図２】
0003840856.tif 000003
【図３】
0003840856.tif 000004
【図４】
0003840856.tif 000005
【図５】
0003840856.tif 000006
【図６】
0003840856.tif 000007
【図７】
0003840856.tif 000008
【図８】
0003840856.tif 000009
【図９】
0003840856.tif 000010
【図１０】
0003840856.tif 000011
【図１１】
0003840856.tif 000012
【図１２】
0003840856.tif 000013
【図１３】
0003840856.tif 000014
【図１４】
0003840856.tif 000015
【図１５】
0003840856.tif 000016
【図１６】
0003840856.tif 000017
【図１７】
0003840856.tif 000018
【図１８】
0003840856.tif 000019